(57)【特許請求の範囲】
【請求項１】
視聴制御のための視聴制御情報を生成して伝送する操作装置と接続され、放送局から放送された番組またはネットワークを介して配信された番組を、前記番組のスケジュールを示す電子番組表データとともに受信して視聴するための視聴録画装置であって、
前記操作装置から前記視聴制御情報を取得する通信部と、
前記番組を受信する受信部と、
前記受信部で受信された番組を映像情報として記憶する記憶部と、
前記通信部と前記受信部と前記記憶部を制御する制御部を備え、
前記制御部は、前記通信部で前記操作装置から取得した前記番組に係るウェブページの視聴制御情報に基づき前記番組の前記映像情報を前記記憶部に録画するように制御する際、
前記電子番組表データから前記番組の番組名を取得し、
前記視聴制御情報から前記ウェブページのタイトルとウェブページの本文を取得し、
前記番組に応じて前記番組名、前記ウェブページのタイトルおよび前記ウェブページの本文を対応づけた録画管理情報を生成することを特徴とする視聴録画装置。
【請求項２】
視聴制御のための視聴制御情報を生成して伝送する操作装置と接続され、放送局から放送された番組またはネットワークを介して配信された番組を、前記番組のスケジュールを示す電子番組表データとともに受信して視聴するための視聴録画装置であって、
前記操作装置から前記視聴制御情報を取得するための通信部と、
前記番組を受信する受信部と、
前記通信部と前記受信部を制御する制御部を備え、
前記視聴制御情報は、前記番組と対応づけたＵＲＩを含み、
前記制御部は、前記通信部で前記操作装置から取得した前記番組に係るウェブページの視聴制御情報に基づき前記番組を前記受信部で選局するように制御する際、
前記視聴制御情報から前記番組に係るウェブページのＵＲＩを取得し、
前記視聴録画装置のユーザが前記番組を選択するための前記ＵＲＩを含む視聴制御情報を生成し、
さらに、前記受信部で受信された番組を映像情報として記憶する記憶部を備え、
前記制御部は、さらに前記記憶部を制御して、前記通信部で前記操作装置から取得した前記番組に係るウェブページの視聴制御情報に基づき前記番組の前記映像情報を前記記憶部に録画するように制御する際、
前記電子番組表データから前記番組の番組名を取得し、
前記ＵＲＩに基づき前記ウェブページデータからウェブページのタイトルおよびウェブページの本文を前記通信部で取得し、
前記番組に応じて前記番組名、前記ウェブページのタイトルおよび前記ウェブページの本文を対応づけた録画管理情報を生成することを特徴とする視聴録画装置。
【請求項３】
請求項１または２に記載の視聴録画装置において、
前記制御部は、
前記ウェブページの本文に基づき盛り上がり度情報を生成し、
前記番組に応じて前記盛り上がり度情報を対応づけた録画管理情報を生成することを特徴とする視聴録画装置。
【請求項４】
請求項１または２に記載の視聴録画装置において、
前記通信部が前記操作装置から前記視聴制御情報を取得する際に、
前記制御部は、
前記視聴制御情報から盛り上がり度情報を取得し、
前記番組に応じて前記盛り上がり度情報を対応づけた録画管理情報を生成することを特徴とする視聴録画装置。
【請求項５】
請求項１または２乃至４のいずれか１項に記載の視聴録画装置において、
前記通信部が前記操作装置から前記視聴制御情報を取得する際に、
前記制御部は、前記視聴制御情報から前記視聴録画装置のユーザに係る利用者識別情報を取得し、
前記利用者識別情報に基づき利用者名を生成し、
前記番組に応じて前記利用者名を対応づけた録画管理情報を生成することを特徴とする視聴録画装置。
【請求項６】
請求項１乃至５のいずれか１項に記載の視聴録画装置において、
前記制御部は、前記視聴録画装置のユーザに係る現在の視聴状態に基づき現在視聴状態情報を生成し、
前記通信部は、前記操作装置に前記現在視聴状態情報を送信することを特徴とする視聴録画装置。
【請求項７】
視聴制御のための視聴制御情報を生成して伝送する操作装置と接続され、番組を前記番組のスケジュールを示す電子番組表データとともに受信して視聴するための視聴録画方法であって、
前記操作装置から前記視聴制御情報を取得する視聴制御情報取得ステップと、
前記番組を受信する番組受信ステップと、
前記番組受信ステップで受信した番組を映像情報として記憶する映像情報記憶ステップと、
前記した各ステップの動作を制御する制御ステップを有し、
前記制御ステップは、
前記映像情報記憶ステップが前記番組に係るウェブページの前記視聴制御情報に基づき前記番組の前記映像情報を記憶するように制御する際、
前記番組の電子番組表データから前記番組の番組名を取得し、
前記視聴制御情報から前記ウェブページのタイトルとウェブページの本文を取得し、
前記番組に応じて前記番組名、前記ウェブページのタイトルおよび前記ウェブページの本文を対応づけた録画管理情報を生成することを特徴とする視聴録画方法。
【発明の詳細な説明】
【技術分野】
【０００１】
本発明は、デジタル放送またはＩＰ（Ｉｎｔｅｒｎｅｔ  Ｐｒｏｔｏｃｏｌ）放送の視聴と録画が可能な視聴録画装置において、パソコンや携帯電話などの操作装置とネットワークを介して接続された視聴録画装置に対して操作装置から視聴や録画の制御を行う方法と、録画番組の管理方法に関し、特に、操作装置にインストールされたブラウザで放送番組に対する意見や感想を述べ合うウェブページを閲覧している際に、操作装置から視聴録画装置の録画制御を行った場合、録画制御時にブラウザで閲覧していたウェブページの情報を録画番組の管理情報に付加することで、視聴録画装置で再生する録画番組を選択する際の操作性の向上に有効な視聴録画装置および視聴録画方法に関する。
【背景技術】
【０００２】
録画機能を搭載したＴＶやＤＶＤレコーダーなどの録画機器では、ＴＶ放送などの映像情報をＭＰＥＧなどの符号化方式を用いて圧縮して内蔵のＨＤＤなどに記録できるようになっている。ＨＤＤなどの録画番組を記録するための録画容量は年々増加しており、また、圧縮技術の向上によりＨＤＤなどに記録できる録画番組数が増大している。録画機能には、キーワードを設定し電子番組表に合致する番組があると自動的に録画する機能や、インターネットを利用して利用者宅外から携帯電話やパソコンを用いて録画予約を行う宅外録画予約機能などがある。
【０００３】
以上の録画機能によって、利用者は気軽にＴＶ放送の録画を行うことができ、大量の録画番組を記録できるようになった。
しかし、録画番組数が増大してくると、所望の録画番組を探し出すことが困難になる。このため、検索条件を指定して録画番組を絞り込んで表示する技術が開示されている（例えば、特許文献１参照）。
一方で、近年、ＴＶ放送の視聴形態は多様化しており、パソコンや携帯電話などを用いて、ＴＶ放送に関する感想や意見を述べ合う電子掲示板やブログなどのウェブページを閲覧しながら、ＴＶ放送を楽しむといった利用形態が増加している。
【先行技術文献】
【特許文献】
【０００４】
【特許文献１】特開２００６−２７０３７１号公報
【発明の概要】
【発明が解決しようとする課題】
【０００５】
従来の技術では、検索条件を指定して録画番組を絞り込んで表示することによって、所望の録画番組を探し出すことはできるが、録画番組数が増大してくると、その中には、録画したことを忘れてしまったり、なぜ録画したのかが思い出せなかったりする録画番組が多くなってくる。利用者は、そのような録画番組を録画タイトルの一覧表示の中に見つけたときなど、その録画番組の録画理由が不明なため、再生すべきかどうかの判断に迷うことになる。
本発明の目的は前記した課題に鑑み、録画番組の録画誘因を容易に思い出すことができ、録画番組を再生すべきかどうかの判断が容易となる視聴録画装置および視聴録画方法を提供することにある。
【課題を解決するための手段】
【０００６】
前記目的を達成するため本発明は、視聴制御のための視聴制御情報を生成して伝送する操作装置と接続され、放送局から放送された番組またはネットワークを介して配信された番組を、前記番組のスケジュールを示す電子番組表データとともに受信して視聴するための視聴録画装置であって、
前記操作装置から前記視聴制御情報を取得する通信部と、前記番組を受信する受信部と、前記受信部で受信された番組を映像情報として記憶する記憶部と、前記通信部と前記受信部と前記記憶部を制御する制御部を備え、
前記制御部は、前記通信部で前記操作装置から取得した前記番組に係るウェブページの視聴制御情報に基づき前記番組の前記映像情報を前記記憶部に録画するように制御する際、前記電子番組表データから前記番組の番組名を取得し、前記視聴制御情報から前記ウェブページのタイトルとウェブページの本文を取得し、前記番組に応じて前記番組名、前記ウェブページのタイトルおよび前記ウェブページの本文を対応づけた録画管理情報を生成することを特徴としている。
【発明の効果】
【０００７】
本発明によれば、閲覧していたウェブページの内容がＴＶ放送を録画する誘因となって録画操作を行った場合に、後日、録画タイトル一覧画面に該ウェブページの内容を表示することで、録画番組の録画誘因を容易に思い出すことができ、録画番組を再生すべきかどうかの判断が容易となる視聴録画装置および視聴録画方法を提供でき、ユーザに対する使い勝手の向上に寄与できるという効果がある。
【図面の簡単な説明】
【０００８】
【図１】システム構成図の例である。
【図２】視聴録画装置のブロック図の例である。
【図３】操作装置のブロック図の例である。
【図４】ＵＲＩチャンネル変換テーブルを示す図の例である。
【図５】ウェブページ表示画面を示す図の例である。
【図６】視聴制御テーブルを示す図の例である。
【図７】視聴録画処理のフローチャートの例である。
【図８】録画番組管理テーブルを示す図の例である。
【図９】ページ別録画タイトル一覧を示す図の例である。
【図１０】盛り上がり度の情報を追加した視聴制御テーブルを示す図の例である。
【図１１】盛り上がり度の情報を追加した録画番組管理テーブルを示す図の例である。
【図１２】盛り上がり度の情報を追加したページ別録画タイトル一覧を示す図の例である。
【図１３】盛り上がり度範囲別録画タイトル一覧を示す図の例である。
【図１４】ＵＲＩを追加した視聴制御テーブルを示す図の例である。
【図１５】ＵＲＩを追加した録画番組管理テーブルを示す図の例である。
【図１６】ＵＲＩ別録画タイトル一覧を示す図の例である。
【図１７】現在状態テーブルを示す図の例である。
【図１８】現在状態の情報を追加したウェブページ表示画面を示す図の例である。
【図１９】識別名情報を追加した視聴制御テーブルを示す図の例である。
【図２０】利用者名変換テーブルを示す図の例である。
【図２１】利用者名を追加した録画番組管理テーブルを示す図の例である。
【図２２】利用者別録画タイトル一覧を示す図の例である。
【発明を実施するための形態】
【０００９】
以下、実施例につき図面を用いて説明する。
【実施例１】
【００１０】
（１）実施形態を示すシステム構成図
図１は、本発明による視聴録画装置及び方法の第１の実施形態を示すシステム構成図であって、１は視聴録画装置、２はノートパソコン、３はルーター、４は携帯電話、５はネットワーク、６はウェブサーバー、７はアプリケーションサーバー、８は無線基地局である。
ノートパソコン２と携帯電話４は視聴録画装置１の視聴や録画を制御することができる操作装置である。
【００１１】
同図において、利用者の自宅（利用者宅）には、インターネット回線など外部のネットワーク５と接続されたルーター３が設けられており、このルーター３に利用者が使用する視聴録画装置１とノートパソコン２が接続されている。
ネットワーク５には、利用者宅の外にあるウェブサーバー６とアプリケーションサーバー７と無線基地局８が接続されている。携帯電話４は無線基地局８と無線通信で接続されている。これにより、視聴録画装置１は、ノートパソコン２や携帯電話４が送信した制御情報を受信することができる。
ノートパソコン２や携帯電話４は、外部のネットワーク５を介してウェブサーバー６からウェブページの情報を取得することができ、アプリケーションサーバー７からアプリケーションであるブラウザとブラウザの設定情報を取得することができる。
【００１２】
（２）視聴録画装置のブロック構成図
図２は、図１における視聴録画装置１の具体的な内部構成を示すブロック構成図の一例であって、１１はＣＰＵ（Ｃｅｎｔｒａｌ  Ｐｒｏｃｅｓｓｉｎｇ  Ｕｎｉｔ：中央処理装置）、１２はＴＶチューナー、１３はエンコーダー、１４はデコーダー、１５はＨＤＤ（Ｈａｒｄ  Ｄｉｓｃ  Ｄｒｉｖｅ）、１６はリモコン受信ＩＦ（Ｉｎｔｅｒｆａｃｅ）、１７はネットワークＩＦ、１８は映像出力ＩＦ、１９は表示パネル、２０は映像信号線、２１はバス、２２はリモコンである。
【００１３】
図２において、視聴録画装置１は、視聴録画装置１の機能制御を行う制御部であるＣＰＵ１１、放送データを受信する受信部であるＴＶチューナー１２、放送データの映像情報をＭＰＥＧ等により圧縮する映像圧縮部であるエンコーダー１３、ＭＰＥＧ等により圧縮された映像データを映像情報に伸長する映像伸張部であるデコーダー１４、映像データを記録する記憶部であるＨＤＤ１５、視聴録画装置１の操作指示・情報入力を行うリモコン２２の信号を受信するリモコン受信ＩＦ１６、操作装置やルーター３にアクセスしたりネットワーク５からＩＰ放送の放送データを受信したりするための通信部であるネットワークＩＦ１７、デコーダー１４で伸長した映像情報などの映像情報を出力する映像出力部である映像出力ＩＦ１８、以上の各部を接続するためのバス２１、映像出力ＩＦ１８から出力された映像情報を表示する表示部である表示パネル１９、映像出力ＩＦ１８と表示パネル１９を接続する映像信号線２０から構成されている。
【００１４】
（３）操作装置のブロック構成図
図３は、図１におけるノートパソコン２や携帯電話４などの操作装置の具体的な内部構成を示すブロック構成図の一例であって、３１はＣＰＵ、３２はキーボード、３３はＨＤＤ、３４はネットワークＩＦ、３５は映像出力ＩＦ、３６は表示パネル、３７は映像信号線、３８はバスである。
【００１５】
図３において、操作装置は、操作装置の機能制御を行う制御部であるＣＰＵ３１、ブラウザなどのアプリケーションデータなどを記録する記憶部であるＨＤＤ３３、操作装置の操作指示・情報入力を行う情報入力部であるキーボード３２、視聴録画装置１やルーター３にアクセスするための通信部であるネットワークＩＦ３４、ブラウザなどの映像情報を出力する映像出力部である映像出力ＩＦ３５、以上の各部を接続するバス３８、映像出力ＩＦ３５から出力された映像情報を表示する表示部である表示パネル３６、映像出力ＩＦ３５と表示パネル３６を接続する映像信号線３７から構成されている。
【００１６】
なお、これらの構成は、本発明を適用する視聴録画装置および操作装置の一例を示したものであり、以下実施例に示すような動作を行うことのできる構成であればよく、このような構成に限定されないものである。
【００１７】
操作装置であるノートパソコン２や携帯電話４において、ウェブページを閲覧している際に、視聴録画装置１の視聴や録画の制御を行う方法について説明する。
まず、視聴録画装置１に操作装置を接続する方法について説明する。
視聴録画装置１と利用者宅内の操作装置であるノートパソコン２は、ルーター３を介して接続されており、接続プロトコルとして、ＵＰｎＰ（Ｕｎｉｖｅｒｓａｌ  Ｐｌｕｇ  ａｎｄ  Ｐｌａｙ）などの自動接続プロトコルを用いる。ＵＰｎＰを用いると、相互に接続に必要な情報であるＩＰアドレスや相互の機器名などの情報を取得することができる。
【００１８】
視聴録画装置１と利用者宅外の操作装置である携帯電話４は、ルーター３を介して接続されており、接続プロトコルとして、携帯電話４からルーター３の間ではＣＷＭＰ（ＣＰＥ  ＷＡＮ  Ｍａｎａｇｅｍｅｎｔ  Ｐｒｏｔｏｃｏｌ）などの遠隔管理プロトコルを用い、ルーター３と視聴録画装置１の間ではＵＰｎＰなどの自動接続プロトコルを用い、ルーター３がＣＷＭＰとＵＰｎＰのプロトコル変換を行うことで相互に通信を行う。
【００１９】
操作装置であるノートパソコン２と携帯電話４には、ウェブページを閲覧するためにブラウザがインストールされており、ＴＶ放送に対する意見や感想を共有することができるウェブページを閲覧することができる。ブラウザには種々の設定情報が含まれており、設定情報のひとつとしてウェブページのＵＲＩ（Ｕｎｉｆｏｒｍ  Ｒｅｓｏｕｒｃｅ  Ｉｄｅｎｔｉｆｉｅｒ）とＴＶ放送のチャンネル番号を関連付けるテーブルが用意されている。
【００２０】
（４）ＵＲＩチャンネル変換テーブル
図４は、本発明の一実施例におけるＵＲＩチャンネル変換テーブル４０を示す図である。ＵＲＩチャンネル変換テーブル４０は、操作装置の記憶部であるＨＤＤ３３にインストールされているブラウザの設定情報のひとつであり、操作装置の通信部であるネットワークＩＦ３４がアプリケーションサーバー７から取得する。また、利用者が操作装置のキーボード３２でテーブル内の値を変更することも可能である。４１は項目「ＵＲＩ」、４２は項目「チャンネル番号」である。ＵＲＩ４１はインターネット上に存在するウェブページの場所を示す情報、チャンネル番号４２はＴＶ放送を選局する際に必要となる情報である。
【００２１】
（５）ウェブページ表示画面
次にウェブページを閲覧するためのブラウザの表示画面について説明する。
【００２２】
図５は、本発明の一実施例におけるウェブページ表示画面５０を示す図である。ウェブページ表示画面５０は、操作装置にインストールされているブラウザにおいて、ウェブサーバー６が公開しているウェブページを表示した画面の一具体例である。５１は「タイトルバー」、５２は「アドレスバー」、５３は「機器選択コンボボックス」、５４は「選局コンボボックス」、５５は「視聴制御チェックボックス」、５６は「録画制御チェックボックス」、５７は「送信ボタン」、５８は「ウェブブラウザボックス」である。
【００２３】
タイトルバー５１には、ウェブページのページタイトルが表示される。アドレスバー５２には、ウェブページのＵＲＩが表示される。機器選択コンボボックス５３にはＵＰｎＰで取得した機器名が表示される。選局コンボボックス５４には、ウェブページのＵＲＩをＵＲＩチャンネル変換テーブルにより変換したチャンネル番号が表示される。
【００２４】
視聴制御チェックボックス５５は、視聴制御の実行有無をチェックマークの有無で表示するもので、操作装置の操作により、チェックマークの有無を変更できる。録画制御チェックボックス５６は、録画制御の実行有無をチェックマークの有無で表示するもので、操作装置の操作により、チェックマークの有無を変更できる。送信ボタン５７は、視聴録画装置１に制御情報を送信する際に押すボタンである。ウェブブラウザボックス５８には、ウェブページの本文が表示される。
利用者が送信ボタン５７を押すと、操作装置から視聴録画装置１を制御するための情報が作成され、機器選択コンボボックス５３に表示されている機器である視聴録画装置１に送信される。
【００２５】
（６）視聴制御テーブル
図６は、本発明の一実施例における視聴制御テーブル６０を示す図である。視聴制御命令テーブル６０は、操作装置から視聴録画装置１を制御するために送信される情報で、操作装置の制御部であるＣＰＵ３１が作成する。６１は項目「放送局」、６２は項目「視聴形式」、６３は項目「ウェブページタイトル」、６４は項目「ウェブページのコメント」である。
【００２６】
視聴制御命令テーブル６０の各項目の値には、ウェブページ表示画面５０に表示されている値をコピーする。放送局６１の値には選局コンボボックス５４に表示されている値をコピーし、視聴形式６２の値には視聴制御チェックボックス５５の値と録画制御チェックボックス５６の値をコピーし、ウェブページタイトル６３の値にはタイトルバー５１に表示されているウェブページタイトルをコピーし、ウェブページのコメント６４の値には、ウェブブラウザボックス５８に表示されているウェブページの本文をコピーする。
操作装置から送信された視聴制御テーブル６０を、視聴録画装置１が受信すると視聴制御テーブル６０の各項目の値を使用して視聴や録画の制御を行う。
【００２７】
（７）フローチャート
図７は、本発明の一実施例における視聴制御テーブルの受信処理のフローチャートである。ここでは、操作装置が送信した視聴制御テーブル６０を視聴録画装置１が受信した際の処理フロー例を示している。
まず、視聴録画装置１の通信部であるネットワークＩＦ１７が操作装置から視聴制御テーブル６０を受信する（Ｓ１０１）。
【００２８】
視聴録画装置１の制御部であるＣＰＵ１１は、視聴制御テーブル６０の視聴形式６２の値に“視聴”が含まれるか判定する（Ｓ１０２）。“視聴”が含まれる場合は、Ｓ１０３の処理に移行し、含まれない場合はＳ１０６の処理に移行する。
視聴形式６２の値に“視聴”が含まれる場合は、ＣＰＵ１１は視聴録画装置１で既に視聴動作中であるか判定する（Ｓ１０３）。ここでの視聴動作とは、視聴録画装置１において映像出力ＩＦ１８から表示パネル１９に対して映像出力処理を行う動作のことを指す。視聴動作中の場合は、Ｓ１０５の処理に移行し、視聴動作中でない場合はＳ１０４に移行する。
【００２９】
視聴動作中で無い場合は、映像出力ＩＦ１８は表示パネル１９に映像の出力を開始する（Ｓ１０４）。
表示パネル１９に映像出力が行われている状態で放送局６１の値に従ってＣＰＵ１１はＴＶチューナー１２を選局する（Ｓ１０５）。
次に、ＣＰＵ１１は視聴形式６２の値に“録画”が含まれるか判定する（Ｓ１０６）。“録画”が含まれる場合はＳ１０７の処理に移行して視聴録画装置１が何らかの番組を録画予約中であるかを判定し、含まれない場合はＳ１１０の処理に移行する。
【００３０】
Ｓ１０７の判定で録画予約中である場合は、ＣＰＵ１１は現在選局中の番組の放送時間が視聴録画装置１で既に録画予約されている番組の放送時間と重複しないか判定する（Ｓ１０８）。重複する場合は現在選局中の番組を録画することはできないのでＳ１１０の処理に移行し、重複しない場合はＳ１０９の処理に移行して現在選局中の番組を録画する。
次に、ＨＤＤ１５は選局されているＴＶ放送の番組の録画処理を実行する（Ｓ１０９）。
最後に、ＣＰＵ１１は視聴制御テーブル６０を送信した操作装置に対して、Ｓ１０１からＳ１０９までの処理結果につきネットワークＩＦ１７を介して送信（Ｓ１１０）し、処理を終了する。
【００３１】
（８）録画番組管理テーブル
次に、視聴制御テーブル６０を受信することで録画処理が行われた場合の、録画番組の管理方法について説明する。視聴制御テーブル６０を受信することで録画処理が行われると、視聴録画装置１のＨＤＤ１５に保存されている録画番組を管理するための情報テーブルに、新規に録画した番組の情報が追記される。
【００３２】
図８は、本発明の一実施例における録画番組管理テーブル８０を示す図である。録画番組管理テーブル８０は、録画番組を管理するための情報で、視聴録画装置１の制御部であるＣＰＵ１１が作成し、記憶部であるＨＤＤ１５に保存する情報のひとつである。８１は項目「録画タイトル」、８２は項目「ウェブページタイトル」、８３は項目「ウェブページのコメント」である。
【００３３】
録画タイトル８１には、視聴録画装置１が取得した電子番組表の情報から録画番組の番組名を抽出しコピーする。ウェブページタイトル８２には、視聴制御テーブル６０のウェブページタイトル６３の値をコピーする。ウェブページのコメント８３には、視聴制御テーブル６０のウェブページのコメント６４の値をコピーする。
【００３４】
（９）ページ別録画タイトル一覧
次に、視聴録画装置１に録画された録画番組を再生する際の選択方法について説明する。
【００３５】
図９は、本発明の一実施例におけるページ別録画タイトル一覧９０を示す図である。ページ別録画タイトル一覧９０は、視聴録画装置１で再生する録画番組を選択する際に録画情報８０のウェブページタイトル８２を使用する場合の画面の一具体例である。ページ別録画タイトル一覧９０は利用者がリモコン２２を操作して表示させ、画面操作もリモコン２２で行う。９１は、「ページタイトル」、９２は「録画タイトル」、９３は「録画理由」、９４は「ウェブページタイトル」、９５は「録画制御時のコメント」、９６は「ページタイトル選択カーソル」、９７は「録画タイトル選択カーソル」である。
【００３６】
ページタイトル９１にはページタイトル８２の値を表示する。ページタイトル８２に同名のページタイトルが複数存在する場合は、ページタイトル９１にひとつだけ表示する。録画タイトル９２には録画タイトル８１を表示する。録画タイトル９２に表示する情報は、ページタイトル９１上のページタイトル選択カーソル９６が示すページタイトルにしたがって表示する。図９では、ページタイトル選択カーソル９６がページタイトル９１の「８０１局実況掲示板」を選択しているため、録画タイトル９２には録画番組管理テーブル８０のページタイトル８２の値が「８０１局実況掲示板」である各列の録画タイトル８１の値を表示する。
【００３７】
利用者はリモコン２２を操作することで、録画タイトル選択カーソル９７で所望の録画タイトルを選択し、再生操作を行うことで所望の録画番組の再生を行うことができる。この際、録画タイトル選択カーソル９７が選択した録画タイトルにつき、その録画理由９３が、ウェブページタイトル９４と録画制御時のコメント９５において表示される。
以上により、利用者は、多数の録画番組が存在してもそれぞれの録画番組を録画した理由を、ウェブページタイトルや録画時のコメントから容易に思い出すことができ、録画番組を再生すべきかどうかの判断を容易にすることができるという効果がある。
【実施例２】
【００３８】
実施例１における録画理由に、重要度を示す情報を追加して使用する方法について説明する。本実施例では重要度として「盛り上がり度」を定義して使用する。盛り上がり度は、ウェブページに多数の利用者がＴＶ放送に対する意見や感想などのコメントを書き込めるブログや電子掲示板などにおける、単位時間あたりのコメント数を示す情報である。盛り上がり度の数値が大きいほど、そのウェブページが賑わっていることを示しており、閲覧している利用者の視聴を誘引する可能性が高く、視聴理由として重要度が高いと言える。
【００３９】
（１０）視聴制御テーブル
図１０は、本発明の一実施例における視聴制御テーブル１００を示す図である。視聴制御命令テーブル１００は、操作装置にインストールされたブラウザが作成する情報のひとつである。１０１は項目「放送局」、１０２は項目「視聴形式」、１０３は項目「ウェブページタイトル」、１０４は項目「ウェブページのコメント」、１０５は項目「盛り上がり度」である。
【００４０】
視聴制御テーブル１００は実施例１における視聴制御テーブル６０に、盛り上がり度１０５を追加したものである。
盛り上がり度１０５は、操作装置において、視聴制御テーブル送信時に利用者が閲覧しているウェブページの内容に含まれるコメントの書き込み時間を利用して算出する。
【００４１】
盛り上がり度の算出は、ウェブページに含まれるコメント数をある範囲の書き込み時間で除算することで行う。ある範囲の書き込み時間とは、例えばある番組に関する電子掲示板における最初のコメントの書き込み時刻から視聴制御テーブル送信時の時刻までの時間である。コメントの書き込み時刻はウェブページの内容として含まれているものを使用する。
【００４２】
なお、盛り上がり度は、視聴録画装置１の制御部であるＣＰＵ１１が、視聴制御テーブル１００のウェブページのコメント１０４に含まれる書き込み時間を用いて算出することも可能である。
盛り上がり度１０５は、実施例１における視聴制御テーブル６０のウェブページタイトル６３とウェブページのコメント６４と同様に、視聴録画装置１での録画処理時に録画番組管理テーブルに記録する。
【００４３】
（１１）録画番組管理テーブル
図１１は、本発明の一実施例における録画番組管理テーブル１１０を示す図である。１１１は項目「録画タイトル」、１１２は項目「ウェブページタイトル」、１１３は項目「ウェブページのコメント」、１１４は項目「盛り上がり度」である。録画番組管理テーブル１１０は、実施例１における録画番組管理テーブル８０に盛り上がり度１１４を追加したものであり、その他の項目は説明を省略する。盛り上がり度１１４の値には、視聴制御テーブル１００の盛り上がり度１０５の値をコピーする。
【００４４】
（１２）ページ別録画タイトル一覧
次に盛り上がり度の値を利用した録画番組の一覧表示方法について説明する。
【００４５】
図１２は、本発明の一実施例におけるページ別録画タイトル一覧１２０を示す図である。
ページ別録画タイトル一覧１２０は、視聴録画装置１で再生する録画番組を選択する際に、録画番組管理テーブル１１０を使用する場合の画面の一具体例である。１２１は、「ページタイトル」、１２２は「録画タイトル」、１２３は「盛り上がり度」、１２４は「録画理由」、１２５は「ウェブページタイトル」、１２６は「録画制御時のコメント」、１２７は「ページタイトル選択カーソル」、１２８は「録画タイトル選択カーソル」である。
【００４６】
ページ別録画タイトル一覧１２０は、実施例１におけるページ別録画タイトル一覧９０に盛り上がり度１２３を追加したものであり、その他の項目は説明を省略する。
盛り上がり度１２３には、録画番組管理テーブル１１０の盛り上がり度１１４の値を表示する。
【００４７】
以上により、利用者がウェブページ別に一覧表示された録画番組の中から、ウェブページが賑わっていたことで利用者の視聴を誘引した可能性が高かった番組を選択して再生したい場合に、ページ別録画タイトル一覧を使用することで録画番組を容易に選択することが可能となる。
【００４８】
（１３）盛り上がり度別録画タイトル一覧
次に、盛り上がり度の値の範囲を利用した録画番組の一覧表示方法について説明する。
【００４９】
図１３は、本発明の一実施例における盛り上がり度別録画タイトル一覧１３０を示す図である。盛り上がり度別録画タイトル一覧１３０は、視聴録画装置１で再生する録画番組を選択する際に録画情報８０に含まれる盛り上がり度を使用する場合の画面の一具体例である。１３１は、「盛り上がり度範囲」、１３２は「録画タイトル」、１３３は「盛り上がり度」、１３４は「録画理由」、１３５は「ウェブページタイトル」、１３６は「録画制御時刻時のコメント」、１３７は「盛り上がり度範囲選択カーソル」、１３８は「録画タイトル選択カーソル」である。
【００５０】
盛り上がり度別録画タイトル一覧１３０は、ページ別タイトル一覧１２０のページタイトル１の表示部分を盛り上がり度範囲１３１に置き換えたものである。
盛り上がり度範囲１３１は、録画番組管理テーブルに記録されている録画タイトルを一覧表示する際に、盛り上がり度の数値の範囲に分けて表示することを示すものである。
【００５１】
例えば、図１３では、盛り上がり度範囲が“１０００〜１００００”の部分を盛り上がり度範囲選択カーソル１３７で選択しており、表示されている録画タイトルは、盛り上がり度の数値が１０００から１００００までのものが表示されている。録画タイトル１３２には、盛り上がり度１３２の数値が大きい順に録画タイトルをソートして表示する。同様に、利用者が、盛り上がり度範囲選択カーソル１３７で盛り上がり度範囲１３１の“〜１００”を選択した場合は、盛り上がり度の数値が１００以下の録画タイトルを表示する。
【００５２】
以上により、利用者が視聴録画装置１のＨＤＤ１５に格納された録画番組の中から、ウェブページが賑わっていたことで利用者の視聴を誘引した可能性が高かった番組を選択して再生したい場合に、盛り上がり度別録画タイトル一覧を使用することで録画番組を容易に選択することが可能となる。
【実施例３】
【００５３】
実施例１における録画理由に、ウェブページのＵＲＩを示す情報を追加して使用する方法について説明する。
【００５４】
（１４）視聴制御テーブル
図１４は、本発明の一実施例における視聴制御テーブル１４０を示す図である。視聴制御命令テーブル１４０は、操作装置にインストールされたブラウザが作成する情報のひとつである。１４１は項目「放送局」、１４２は項目「視聴形式」、１４３は項目「ウェブページタイトル」、１４４は項目「ウェブページのコメント」、１４５は項目「ウェブページＵＲＩ」である。視聴制御テーブル１４０は実施例１における視聴制御テーブル６０に、ウェブページＵＲＩ１４５を追加したものであり、その他の項目は説明を省略する。
【００５５】
ウェブページＵＲＩ１４５は、操作装置において、視聴制御テーブル送信時に利用者が閲覧しているウェブページのＵＲＩの文字列であり、実施例１における視聴制御テーブル６０のウェブページタイトル６３とウェブページのコメント６４と同様に、視聴録画装置１での録画処理時に録画番組管理テーブルに記録する。
【００５６】
視聴録画装置１は、ウェブページＵＲＩ１４５を使用して、ウェブサーバー６からウェブページの情報を取得することができる。このため、視聴制御テーブル１４０のウェブページタイトル１４３やウェブページのコメント１４４の値が無い場合でも視聴録画装置１がウェブページの情報を取得して補完することが可能である。
【００５７】
また、視聴録画装置１がアプリケーションサーバー７からＵＲＩチャンネル変換テーブル４０を取得することで、視聴録画装置１は、ＵＲＩチャンネル変換テーブルを用いてウェブページＵＲＩ１４５をチャンネル番号に変換することができる。このため視聴制御テーブル１４０の放送局１４１の値が無い場合でも視聴録画装置１は選局処理を行うことが可能である。
また、実施例２における視聴制御テーブル１００の盛り上がり度１０５の値も同様に、視聴録画装置１がウェブページの情報を取得して盛り上がり度を算出することで補完することが可能である。
【００５８】
（１５）録画番組管理テーブル
図１５は、本発明の一実施例における録画番組管理テーブル１５０を示す図である。１５１は項目「録画タイトル」、１５２は項目「ウェブページタイトル」、１５３は項目「ウェブページのコメント」、１５４は項目「ＵＲＩ」である。録画番組管理テーブル１５０は、実施例１における録画番組管理テーブル８０にＵＲＩ１５４を追加したものであり、その他の項目は説明を省略する。ＵＲＩ１５４の値には、視聴制御テーブル１４０のＵＲＩ１４５の値をコピーする。
【００５９】
（１６）ＵＲＩ別録画タイトル一覧
次に、ウェブページＵＲＩの値を利用した録画タイトルの一覧表示方法について説明する。
【００６０】
図１６は、本発明の一実施例におけるページ別録画タイトル一覧１６０を示す図である。ページ別録画タイトル一覧１６０は、視聴録画装置１で再生する録画番組を選択する際に、実施例３で新規に追加した項目「ＵＲＩ」の値を使用する場合の画面の一具体例である。１６１は、「ＵＲＩ」、１６２は「録画タイトル」、１６３は「録画理由」、１６４は「ウェブページタイトル」、１６５は「録画制御時のコメント」」、１６６は「ＵＲＩ選択カーソル」、１６７は「録画タイトル選択カーソル」である。
【００６１】
ＵＲＩ別録画タイトル一覧１６０は、実施例１におけるページ別録画タイトル一覧９０のページタイトル９１の表示部分をＵＲＩ１６１に置き換えたものである。
ＵＲＩ１６１に表示する文字列は、録画番組管理テーブル１５０のＵＲＩ１５４から一階層省いた部分までを表示する。これは、録画番組管理テーブル１５０に含まれる録画番組のうち、ＵＲＩ１５４がある階層まで同じものをグループ分けするためである。ＵＲＩ１５４から省く階層を増やしたほうがグループ分けに都合が良い場合は複数階層を省略する。
【００６２】
録画番組管理テーブル１５０に一階層省いたＵＲＩが同一の録画タイトルが複数存在する場合は、ＵＲＩ１６１にひとつだけ表示する。録画タイトル１６２に表示する情報は、ＵＲＩ１６１上のＵＲＩ選択カーソル１６７が選択するＵＲＩにしたがって表示する。
この際、一般的なブラウザのブックマークのように所望の名前をＵＲＩに対応付けて設定することで、ＵＲＩを表示する代わりに設定した名前を表示し、実施例１におけるページ別録画タイトル一覧１２０のような表示も行うことができる。
以上により、録画した番組を録画した際に閲覧していたウェブページのＵＲＩごとに、録画タイトルを分類して表示することができる。
【実施例４】
【００６３】
次に、視聴録画装置１の使用状態を、操作装置のブラウザ上に表示する方法について説明する。
【００６４】
（１７）現在状態テーブル
図１７は、本発明の一実施例における現在状態テーブル１７０を示す図である。現在状態テーブル１７０は、視聴録画装置１の制御部であるＣＰＵ１１が作成する。１７１は項目「電源状態」、１７２は項目「画面状態」、１７３は項目「選局状態」、１７４は項目「録画状態」である。
【００６５】
電源状態１７１は、視聴録画装置１の電源状態を示すものである。ここでの電源状態は、見た目の電源状態を示すもので、“オン”の場合には主電源は投入されているが、表示パネル等に通電されていない状態も含む。また、電源状態１７１が“オフ”の場合でも操作装置との通信は可能な状態であるとする。
【００６６】
画面状態１７２は、視聴録画装置１の画面において表示しているものを示すものである。たとえば、ＴＶ放送を視聴している場合は“視聴”を、録画番組を再生している場合は“再生”を、設定画面を表示している場合は“設定”を画面状態１７２の値とする。
選局状態１７３は、視聴録画装置１で選局しているＴＶ放送のチャンネル番号である。録画状態１７４は、視聴録画装置１で録画処理を実行しているかどうかを示すものである。
【００６７】
（１８）ウェブページ表示画面
図１８は、本発明の一実施例におけるブラウザのウェブページ表示画面１８０を示す図である。ウェブページ表示画面１８０は、操作装置にインストールされているブラウザで、ウェブサーバー５が公開しているウェブページを表示した画面の一具体例である。１８１は「タイトルバー」、１８２は「アドレスバー」、１８３は「機器選択コンボボックス」、１８４は「選局コンボボックス」、１８５は「視聴制御チェックボックス」、１８６は「録画制御チェックボックス」、１８７は「送信ボタン」、１８８は「ウェブウェブブラウザボックス」、１８９は「電源状態ボックス」、１８１０は「画面状態ボックス」、１８１１は「選局状態ボックス」である。
【００６８】
ウェブページ表示画面１８０は、実施例１におけるウェブページ表示画面５０に電源状態ボックス１８９と動作状態ボックス１８１０と選局状態ボックス１８１１を追加して表示したものである。
【００６９】
ウェブページ表示画面１８０に視聴録画装置１の現在状態の情報を表示する方法について説明する。携帯電話４において、ブラウザを起動すると、携帯電話４の通信部であるネットワークＩＦ３４は、視聴録画装置１に対して現在状態情報要求を送信する。視聴録画装置１の通信部であるネットワークＩＦ１７が現在状態情報要求を受信すると、視聴録画装置１の制御部であるＣＰＵ１１が現在状態テーブル１７０を作成し、視聴録画装置１の通信部であるネットワークＩＦ１７が現在状態テーブル１７０を携帯電話４に送信する。
【００７０】
携帯電話４が、現在状態テーブル１７０を受信すると、ウェブページ表示画面１８０の電源状態ボックス１８９に現在状態テーブル１７０の電源状態１７１の値を表示し、画面状態ボックス１８１０に画面状態１７２の値を表示し、選局状態ボックス１８１１に選局状態１７３の値を表示する。
以上により、利用者は視聴録画装置１の動作状態を確認できない場所にいる場合でも、視聴録画装置１の現在の利用状態を知ることができ、たとえば、利用者宅において利用者以外の人物が視聴録画装置１を使用している場合に、利用者が視聴録画装置１の制御を行う操作を実行すべきかどうかを判断することが可能となる。
【実施例５】
【００７１】
次に、録画を実行した利用者名を録画タイトル一覧で利用する方法について説明する。
【００７２】
（１９）視聴制御テーブル
図１９は、本発明の一実施例における視聴制御テーブル１９０を示す図である。視聴制御命令テーブル１９０は、操作装置にインストールされたブラウザが作成する情報のひとつである。１９１は項目「放送局」、１９２は項目「視聴形式」、１９３は項目「ウェブページタイトル」、１９４は項目「ウェブページのコメント」、１９５は項目「識別名」である。視聴制御テーブル１９０は実施例１における視聴制御テーブル６０に、識別名１９５を追加したものであり、その他の項目は説明を省略する。
【００７３】
識別名１９５は操作装置にインストールされたブラウザの設定情報のひとつとして、利用者がキーボード３２で入力した、利用者を識別するための情報である。ただし、利用者が入力せずに情報が存在しない場合は、次のような情報を代わりに自動的に識別名として使用する。たとえば、操作装置のＯＳ（Ｏｐｅｒａｔｉｎｇ  Ｓｙｓｔｅｍ）からユーザーアカウント名や機器名やＯＳ名やＩＰアドレスをブラウザが取得し、識別名としてコピーする。以上により利用者は、面倒な識別名の入力操作を行わなくても良いことになる。
ただし、自動的にコピーされた識別名は、利用者にとって理解しづらい情報であるため、識別名１９５は、視聴録画装置１で利用者にとって理解しやすい利用者名に変換することを可能とする。
【００７４】
（２０）利用者名変換テーブル
図２０は、本発明の一実施例における利用者名変換テーブル２００を示す図である。利用者名変換テーブル２００は、視聴録画装置１の制御部であるＣＰＵ１１で作成し、記憶部であるＨＤＤ１５に格納しているテーブルで、利用者が録画操作を行う前にあらかじめリモコンで入力した情報である。２０１は項目「識別名」、２０２は項目「利用者名」である。利用者名変換テーブル２００を利用して、識別名を利用者名に変換する方法について説明する。視聴録画装置１が視聴制御テーブル１９０を受信した際に、識別名１９５の値が、利用者名変換テーブル２００の識別名２０１に無いか検索する。合致した値があった場合は、合致した値のある行の利用者名２０２を利用者名とする。合致する値が無かった場合は、識別名１９５の値を利用者名とする。
以上の変換処理で得られた利用者名は、実施例１における視聴制御テーブル６０のウェブページタイトル６３とウェブページのコメント６４と同様に、視聴録画装置１での録画処理時に録画番組管理テーブルに記録される。
【００７５】
（２１）録画番組管理テーブル
図２１は、本発明の一実施例における録画番組管理テーブル２１０を示す図である。２１１は項目「録画タイトル」、２１２は項目「ウェブページタイトル」、２１３は項目「ウェブページのコメント」、２１４は項目「利用者名」である。録画番組管理テーブル２１０は、実施例１における録画番組管理テーブル８０に利用者名２１４を追加したものであり、その他の項目は説明を省略する。利用者名２１４の値には、視聴制御テーブル１９０の識別名１９５を、利用者名変換テーブル２００を用いて変換した値をコピーする。
【００７６】
（２２）利用者別録画タイトル一覧
次に、利用者名２１４の値を利用した録画タイトルの一覧表示方法について説明する。
図２２は、本発明の一実施例における利用者別録画タイトル一覧２２０を示す図である。利用者別録画タイトル一覧２２０は、視聴録画装置１で再生する録画タイトルを選択する際に、実施例５で新規に追加した項目「利用者」の値を使用する場合の画面の一具体例である。２２１は「ページタイトル」、２２２は「利用者」、２２３は「録画タイトル」、２２４は「録画理由」、２２５は「ウェブページタイトル」、２２６は「録画制御時のコメント」、２２７は「ページタイトル選択カーソル」、２２８は「利用者選択カーソル」、２２９は「録画タイトル選択カーソル」である。
【００７７】
利用者別録画タイトル一覧２２０は、実施例１におけるページ別録画タイトル一覧９０に利用者２２２と利用者選択カーソル２２８を追加したものである。利用者２２２には、録画番組管理テーブル２１０の利用者名２１４の値を表示する。
【００７８】
例えば、録画番組管理テーブル２２０に、ウェブページのタイトルが“８０１局実況掲示板”である録画タイトルが複数存在し、それら録画タイトルの対応する利用者名において”父“、”母”、“伐子”の３種類が存在する場合、利用者別録画タイトル一覧２２０のページタイトル選択カーソル２２７で“８０１局実況掲示板”を選択すると、利用者２２２に“父”、“母”、“伐子”と表示する。利用者選択カーソル２２８で“父”を選択すると、録画番組管理テーブルの“ウェブページのタイトル”が“８０１局実況掲示板”かつ“利用者名”が“父”の行の“録画タイトル”を録画タイトル２２３に表示する。
【００７９】
以上により、利用者は、録画した番組を利用者別に分類して一覧表示することが可能となる。
これまで説明した実施例について、視聴録画装置１が操作装置の機能も含む場合、本発明は視聴録画装置１のみでも実現可能である。また、実施例について、多くの変更を加えた変形例を考えることができるが、いずれも本発明の範疇にある。
【００８０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００８１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００８２】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８３】
１：視聴録画装置、２：ノートパソコン、３：ルーター、４：携帯電話、５：ネットワーク、６：ウェブサーバー、７：アプリケーションサーバー、８：無線基地局、１１：ＣＰＵ、１２：ＴＶチューナー、１３：エンコーダー、１４：デコーダー、１５：ＨＤＤ、１６：リモコン受信ＩＦ、１７：ネットワークＩＦ、１８：映像出力ＩＦ、１９：表示パネル、２０：映像信号線、２１：バス、２２：リモコン、３１：ＣＰＵ、３２：キーボード、３３：ＨＤＤ、３４：ネットワークＩＦ、３５：映像出力ＩＦ、３６：表示パネル、３７：映像信号線、３８：バス、４０：ＵＲＩチャンネル変換テーブル、４１：ＵＲＩ、４２：チャンネル番号、５０：ウェブページ表示画面、５１：タイトルバー、５２：アドレスバー、５３：機器選択コンボボックス、５４：選局コンボボックス、５５：視聴制御チェックボックス、５６：録画制御チェックボックス、５７：送信ボタン、５８：ウェブブラウザボックス、６０：視聴制御テーブル、６１：放送局、６２：視聴形式、６３：ウェブページタイトル、６４：ウェブページのコメント、８０：録画番組管理テーブル、８１：録画タイトル、８２：ウェブページタイトル、８３：ウェブページのコメント、９０：ページ別タイトル一覧、９１：ページタイトル、９２：録画タイトル、９３：録画理由、９４：ウェブページタイトル、９５：録画制御時のコメント、９６：ページタイトル選択カーソル、９７：録画タイトル選択カーソル。
【図１】
0005592719.tif 000002
【図２】
0005592719.tif 000003
【図３】
0005592719.tif 000004
【図４】
0005592719.tif 000005
【図５】
0005592719.tif 000006
【図６】
0005592719.tif 000007
【図７】
0005592719.tif 000008
【図８】
0005592719.tif 000009
【図９】
0005592719.tif 000010
【図１０】
0005592719.tif 000011
【図１１】
0005592719.tif 000012
【図１２】
0005592719.tif 000013
【図１３】
0005592719.tif 000014
【図１４】
0005592719.tif 000015
【図１５】
0005592719.tif 000016
【図１６】
0005592719.tif 000017
【図１７】
0005592719.tif 000018
【図１８】
0005592719.tif 000019
【図１９】
0005592719.tif 000020
【図２０】
0005592719.tif 000021
【図２１】
0005592719.tif 000022
【図２２】
0005592719.tif 000023